【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
左右方向の配光特性が上下方向の配光特性よりも広い光源と、
前記光源からの光が通過可能なＩＰＳ（In- Plane Switching）モードまたはＦＦＳ（Fringe Field Switching）モードの液晶パネルと
を備え、
前記液晶パネルは、
第１透明基板と、前記第１透明基板と前記光源との間に配設された第２透明基板と、これら基板に挟まれた液晶分子と、前記光源からの光が通過可能な開口が設けられたブラックマトリクスとを含む液晶セルと、
前記液晶セルに対して前記光源側に配設され、吸収軸が前記上下方向に揃えられた偏光子と、
前記液晶セルに対して前記光源と逆側に配設され、吸収軸が前記左右方向に揃えられた検光子と、
前記偏光子と前記液晶セルとの間に配設された２軸位相差フィルムと
を備え、
前記液晶分子は、前記上下方向に垂直な面内で前記左右方向に対してプレチルト角を有することにより、前記検光子側から見て前記液晶分子の左側及び右側のうちの一方側である第１側の端部が、他方側である第２側の端部よりも前記光源に近接され、
前記開口の左側及び右側に隣接する前記ブラックマトリクスの第１縁部は、前記上下方向に延在する直線形状を有し、
前記開口の上側及び下側に隣接する前記ブラックマトリクスの第２縁部は、前記左右方向に対して互いに同じ側に傾斜して延在する直線形状を有することにより、前記検光子側から見て前記第２縁部の左側及び右側のうちの前記第１側と同じ側の端部は、前記第２側と同じ側の端部よりも上方に位置する、液晶表示装置。
【請求項２】
請求項１に記載の液晶表示装置であって、
前記プレチルト角は０．５度以上５度以下であり、
前記第２縁部の傾斜角は１０度以上６０度以下である、液晶表示装置。
【請求項３】
請求項１または請求項２に記載の液晶表示装置であって、
前記液晶セルは、
前記開口を避けて前記第２縁部に部分的に沿って配設されたゲート配線及び共通配線の少なくともいずれか１つをさらに含む、液晶表示装置。
【請求項４】
請求項１から請求項３のうちのいずれか１項に記載の液晶表示装置であって、
前記液晶セルは、
前記左右方向に対して５度以上１０度以下の角度で傾斜して延在する複数の帯状部分を有する画素電極及び共通電極をさらに含み、
前記画素電極の帯状部分及び前記共通電極の帯状部分の一方は他方の間に位置する、液晶表示装置。
【請求項５】
光源と、
前記光源からの光が通過可能なＩＰＳ（In- Plane Switching）モードまたはＦＦＳ（Fringe Field Switching）モードの液晶パネルと
を備え、
前記液晶パネルは、
第１透明基板と、前記第１透明基板と前記光源との間に配設された第２透明基板と、これら基板に挟まれた液晶分子とを含む液晶セルと、
前記液晶セルに対して前記光源側に配設され、吸収軸が上下方向に揃えられた偏光子と、
前記液晶セルに対して前記光源と逆側に配設され、吸収軸が左右方向に揃えられた検光子と、
前記偏光子と前記液晶セルとの間に配設された２軸位相差フィルムと
を備え、
前記液晶セルは、
前記上下方向に対して５度以上１０度以下の角度で傾斜して延在する複数の帯状部分を有する画素電極及び共通電極の少なくともいずれか１つをさらに含み、
前記液晶分子はネガ型液晶である、液晶表示装置。
【請求項６】
請求項５に記載の液晶表示装置であって、
前記液晶セルは、
前記光源からの光が通過可能な開口が設けられたブラックマトリクスと、
前記開口を覆う透過率分布領域及び屈折率分布領域と
をさらに含む、液晶表示装置。
【請求項７】
光源と、
前記光源からの光が通過可能なＩＰＳ（In- Plane Switching）モードまたはＦＦＳ（Fringe Field Switching）モードの液晶パネルと
を備え、
前記液晶パネルは、
第１透明基板と、前記第１透明基板と前記光源との間に配設された第２透明基板と、これら基板に挟まれた液晶分子とを含む液晶セルと、
前記液晶セルに対して前記光源側に配設され、吸収軸が上下方向に揃えられた偏光子と、
前記液晶セルに対して前記光源と逆側に配設され、吸収軸が左右方向に揃えられた検光子と、
前記検光子と前記液晶セルとの間に配設された２軸位相差フィルムと
を備え、
前記液晶セルは、
前記左右方向に対して５度以上１０度以下の角度で傾斜して延在する複数の帯状部分を有する画素電極及び共通電極の少なくともいずれか１つをさらに含み、
前記液晶分子はネガ型液晶である、液晶表示装置。
【手続補正２】
【補正対象書類名】明細書
【補正対象項目名】００１５
【補正方法】変更
【補正の内容】
【００１５】
この原因は、非特許文献１の内容に鑑みれば、ジョーンズマトリクスを用いた偏光計算では考慮されていない散乱光による影響が相対的に増大していることが考えられる。散乱リーク光は、入射光線の方向とは異なる方向に放射されることになるため、バックライト（ＢＬ）の斜め光が正面ＣＲに対しても影響を持つと発明者は考えた。つまり、特定の視野角方向における散乱リーク光の存在が無視できないほど黒レベル輝度に影響していると、発明者は考えた。なお、黒レベル輝度に及ぼす散乱リーク光の定量的な影響やその液晶表示装置の構成による変化に関する先行技術文献は、発明者が知る限り明らかにされていない。
【手続補正３】
【補正対象書類名】明細書
【補正対象項目名】００５９
【補正方法】変更
【補正の内容】
【００５９】
図１０に示す結果と、図８に示す結果と比較すると、２軸位相差フィルム（ＮＡＺ）が光源側に配設された図１０の条件（ａ）及び条件（ｄ）では、図８の条件（ａ）及び条件（ｄ）と同様の入射偏光への依存性を示す。しかし、２軸位相差フィルム（ＮＡＺ）が視野角測定装置側に配設された図１０の条件（ｂ）及び条件（ｃ）では、図８の条件（ｂ）及び条件（ｃ）と異なる入射偏光への依存性を示す。この原因は、回折光の偏光方向が２軸位相差フィルムによる影響を受けるためと推定される。
【手続補正４】
【補正対象書類名】明細書
【補正対象項目名】０１０７
【補正方法】変更
【補正の内容】
【０１０７】
なお、図２０では、ゲート配線１２２及び共通配線１２３は、左右方向に延在する直線形状であったが、これに限ったものではない。例えば図２１に示されるように、液晶セル１１は、ＢＭ開口１１０ａを避けて第２縁部１１０ｃに部分的に沿って蛇行するように配設された、ゲート配線１３２及び共通配線１３３の少なくともいずれか１つを含んでもよい。このような構成によれば、ゲート配線１２２及び共通配線１２３の電気抵抗を下げることなく、ＢＭ開口１１０ａの面積を大きくすることができ、白レベル輝度をさらに高めることができる。
【手続補正５】
【補正対象書類名】明細書
【補正対象項目名】０１１９
【補正方法】変更
【補正の内容】
【０１１９】
また、本実施の形態１では、ＢＭ開口１１０ａに隣接する第２縁部１１０ｃを斜めに傾けたことに対応させて、図２１に示したように、ゲート配線１３２及び共通配線１３３の少なくともいずれか１つは、ＢＭ開口１１０ａを避けて第２縁部１１０ｃに部分的に沿って配設されている。これにより、ＢＭ開口１１０ａの面積を大きくすることができる。また、ゲート配線１３２及び共通配線１３３の配線幅を大きくすることにより、全画素における駆動の安定化も期待できる。